(57)【特許請求の範囲】
【請求項１】
エンジンからの排ガスを、タービンケーシングに形成されたスクロール内、及び複数の可変ノズルベーンを通してタービンロータに作用させる可変容量型排気ターボ過給機において、
前記スクロール室と前記タービンロータとの間に複数の可変ノズルベーンを周方向に配列するとともに、前記ノズルベーンの両側端面と隙間を存して略平行に形成される平行壁を有するノズルベーン収納部と、
前記ノズルベーンの一側端面に突設されノズルベーンを回転支持するノズル軸と、
前記平行壁の一方側に設けられ前記ノズル軸が隙間を存して嵌合する軸孔と、
前記軸孔に前記ノズル軸を嵌合させた際の嵌合隙間によって排ガス圧力を受けたノズルベーンが内径側に倒されて前記平行壁の壁面とのクリアランスを減少せしめるノズルベーンの先端面と、
該ノズルベーンの先端面の倒れによって形成される前記クリアランスの減少を、前記先端面の倒れ角若しくはノズルベーンの排ガス投影面を増大して、より減少せしめるクリアランス減少促進部と、を備えたことを特徴とする可変容量型排気ターボ過給機。
【請求項２】
前記ノズルベーンの前記ノズル軸方向の断面形状にて両端面が直線状に形成され、前記クリアランス減少促進部は、前記軸孔が前記平行壁の壁面に向かって内径側に傾斜して設けられることを特徴とする請求項１記載の可変容量型排気ターボ過給機。
【請求項３】
前記クリアランス減少促進部は、前記軸孔の前記ノズルベーン側の内径側および前記軸孔の前記ノズルベーンとは反対側の外径側の少なくとも何れか一方を面取りによって構成されることを特徴とする請求項１または２記載の可変容量型排気ターボ過給機。
【請求項４】
前記ノズルベーンの前記ノズル軸方向の断面形状にて両端面が直線状に形成され、前記クリアランス減少促進部は、前記直線状の先端面に対する直角方向が、平行壁の壁面に直角方向に設けられる前記軸孔に嵌合する前記ノズル軸の中心線に対して、内径側に傾斜して形成されることを特徴とする請求項１記載の可変容量型排気ターボ過給機。
【請求項５】
前記ノズルベーンの前記ノズル軸方向の断面形状にて両端面が直線状に形成され、前記クリアランス減少促進部は、該両端面の前記ノズル軸側の端面を、外径側から内径側に向かって平行壁に向かうように傾斜して設けられ、ノズルベーンの排ガス投影面を増大することを特徴とする請求項１記載の可変容量型排気ターボ過給機。
【請求項６】
前記ノズルベーンの前記ノズル軸方向の断面形状にて両端面が直線状に形成され、前記クリアランス減少促進部は、該両端面の前記ノズル軸と反対側の先端面を、外径側から内径側に向かって平行壁から離れるように傾斜して設けられ、ノズルベーンの排ガス投影面を増大することを特徴とする請求項１記載の可変容量型排気ターボ過給機。
【請求項７】
前記ノズルベーンの前記ノズル軸方向の断面形状にて両端面が直線状に形成され、前記クリアランス減少促進部は、該両端面の前記ノズル軸側の端面は、外径側から内径側に向かって平行壁に向かうように傾斜して設けられ、且つ、
前記ノズル軸と反対側の先端面は、外径側から内径側に向かって平行壁から離れるように傾斜して設けられ、ノズルベーンの排ガス投影面を増大することを特徴とする請求項１記載の可変容量型排気ターボ過給機。
【請求項８】
前記平行壁の壁間の距離が近づくように熱変形したときに、前記ノズルベーンの前記両端面が平行壁の壁面によって押されて前記壁面に対して直角方向よりも前記外径側に傾斜することを特徴とする請求項７記載の可変容量型排気ターボ過給機。
【請求項９】
前記クリアランス減少促進部によるノズルベーンの倒れ角の増大によって、ノズルベーンの内径側への倒れ角が０．３〜５．０度の範囲に設定されることを特徴とする請求項１乃至４の何れかに記載の可変容量型排気ターボ過給機。
【請求項１０】
前記ノズルベーンの全閉時の排ガス圧力によって、前記ノズルベーンが内径側に倒されることを特徴とする請求項１記載の可変容量型排気ターボ過給機。
【発明の詳細な説明】
【技術分野】
【０００１】
本発明は、内燃機関の可変容量型排気ターボ過給機に関し、特に、内燃機関（エンジン）からの排ガスを、タービンケーシングに形成されたスクロール内及び複数の可変ノズルベーンを通してタービンロータに作用させる可変容量型排気ターボ過給機において、可変ノズル機構を構成する可変ノズルベーンの両側面と、該側面と対向する壁面との間の隙間からの漏れ流れを防止する技術に関する。
【背景技術】
【０００２】
自動車用の排気ターボ過給機は、排ガス規制の強化によりエンジン低速のレスポンス改善が重視され、ターボチャージャの高レスポンス化が望まれている。
エンジン加速時には、可変容量タービンのノズルベーンの開度を小さくし、排ガス圧力を上昇させることでタービン回転数が上昇していく。
可変容量タービンのノズルベーン開度が極端に小さくなると、ノズルベーンの両側面と、該側面と対向する壁面との間のクリアランスからの漏れ流れ損失が大きく、効率が低下する。このため、回転数上昇が遅くなるとい問題があった。【０００３】
このノズルベーンのクリアランスを低減させれば効率が上昇することは一般的に知られているが、クリアランスを小さくし過ぎると、ノズルベーンがスティックするおそれがある。これは、ノズルベーンの周辺部品が燃焼ガスで熱変形するためである。【０００４】
ノズルベーンのクリアランス低減技術に関する先行技術としては、特許文献１（特開平１１−２２９８１５号公報）を挙げることができる。
この特許文献１には、図７に示すように、ノズルベーン１００と平行壁１０２との間の隙間流れを防止する技術が示されている。具体的には、スクロール室とタービンホイールとの間に一対の平行壁１０２で区画されるノズル室１０４を設けた可変容量型タービンであって、平行壁１０２に対面するノズルベーン１００の両端部１０６、１０６を中央部１０８のｔ１より厚肉に形成し、その両端部の端面を前記平行壁１０２に平行にｔ２の幅を形成した構造が示されている。
【先行技術文献】
【特許文献】
【０００５】
【特許文献１】特開平１１−２２９８１５号公報
【発明の概要】
【発明が解決しようとする課題】
【０００６】
前記特許文献１においては、ノズルベーン１００の両端部１０６、１０６を中央部１０８より厚肉にして、平行壁１０２に平行に拡げてシール長が得られるようにしているが、熱変形時において平行壁１０２の間隔が狭まり、ノズルベーン１００の両端部１０６、１０６と平行壁１０２との隙間が小さくなり、スティックが生じやすいことへの対策までは開示していない。【０００７】
従って、シール性を確保するために、ノズルベーンの両端部と平行壁との隙間を低減させて、クリアランス損失を抑え、さらに、熱変形時において平行壁の間隔が狭まっても、ノズルベーンの両端部が平行壁との間でスティックを生じることがない構造が望まれている。【０００８】
そこで、本願発明は、前述の事情に鑑みてなされたものであり、可変容量型排気ターボ過給機の可変ノズル機構を構成するノズルベーンの端面と、該端面と対向する壁面との間の隙間を狭めて漏れ流れを防止して過給機効率を向上するとともに、熱変形時においてもノズルベーンの端面が壁面に接触してスティックが生じないことを目的とする。
【課題を解決するための手段】
【０００９】
かかる目的を達成するため本発明は、エンジンからの排ガスを、タービンケーシングに形成されたスクロール内、及び複数の可変ノズルベーンを通してタービンロータに作用させる可変容量型排気ターボ過給機において、
前記スクロール室と前記タービンロータとの間に複数の可変ノズルベーンを周方向に配列するとともに、前記ノズルベーンの両側端面と隙間を存して略平行に形成される平行壁を有するノズルベーン収納部と、前記ノズルベーンの一側端面に突設されノズルベーンを回転支持するノズル軸と、前記平行壁の一方側に設けられ前記ノズル軸が隙間を存して嵌合する軸孔と、前記軸孔に前記ノズル軸を嵌合させた際の嵌合隙間によって排ガス圧力を受けたノズルベーンが内径側に倒されて前記平行壁の壁面とのクリアランスを減少せしめるノズルベーンの先端面と、該ノズルベーンの先端面の倒れによって形成される前記クリアランスの減少を、前記先端面の倒れ角若しくはノズルベーンの排ガス投影面を増大して、より減少せしめるクリアランス減少促進部と、を備えたことを特徴とする。【００１０】
かかる発明によれば、可変ノズルベーンは平行壁を有するノズルベーン収納部に周方向に配列されるとともに、可変ノズルベーンはノズル軸を軸孔に嵌合して片持ち支持構造によって、平行壁の一方側の壁面に回転可能に支持されている。
そして、ノズル軸と軸孔とは嵌合隙間が存在するため、ガタをもって取り付けられており、排ガスの圧力で、ノズルベーンの他側端面（先端面）はタービンロータ側である内径側に倒れて傾斜する。【００１１】
すなわち、図３Ａに示す比較例においては、平行壁２の壁面４に直角方向に設けられる軸孔６の中心線６ａとノズル軸８の中心線８ａとを一致させて嵌合した際の嵌合隙間（軸孔６とノズル軸８とのガタ）によって、排ガス圧力を受けたノズルベーン１０は、ノズルベーン１０の他側端面（先端面）１２を内径側へ倒れ角度θ１だけ倒れて傾く。【００１２】
このノズルベーン１０の倒れによって、他側端面１２の先側角部Ｐ１がＰ２に移動して（図３Ａ参照）、壁面４とのクリアランスはＣ０からＣ１へと小さくなる。本発明はこのノズルベーン１０の排ガス圧力によって、嵌合隙間による傾きを積極的に利用して、ノズルベーンの端面と平行壁２の壁面４とのクリアランスを小さくして該クリアランスからの漏れ量を減少させるものである。【００１３】
但し、単に、軸孔６を大きくして軸孔６とノズル軸８との嵌合隙間を大きくしてガタを拡大すると、ノズル軸８と軸孔６との摩耗が増大するとともに、ガタの増大によってノズルベーン１０の精度良い開度制御が困難になる。しかも、壁面４との前記クリアランスは、ノズルベーン１０及び平行壁２の熱変形によって変化するためスティック（固着）を考慮して所定量保持しておく必要がある。【００１４】
そのため、本発明では、前記軸孔に前記ノズル軸を嵌合させた際の嵌合隙間によって排ガス圧力を受けたノズルベーンが内径側に倒されて前記平行壁の壁面とのクリアランスを減少せしめるノズルベーンの先端面と、該ノズルベーンの先端面の倒れによって形成される前記クリアランスの減少を、前記先端面の倒れ角若しくはノズルベーンの排ガス投影面を増大して、より減少せしめるクリアランス減少促進部と、を備えたことを特徴としている。【００１５】
すなわち、前記軸孔に前記ノズル軸を嵌合させた際の嵌合隙間は変更することなく、クリアランス減少促進部によって、ノズルベーンの先端面によって形成される前記クリアランスの減少を、前記先端面の倒れ角若しくはノズルベーンの排ガス投影面を増大して、より減少せしめるようにしている。【００１６】
従って、ノズルベーンの先端面、より具体的には先端面の角部（図３ＡのＰ１部）によって平行壁とのクリアランスをさらに減少せしめることができ、その結果、シール性を確保でき、ノズルベーンの両側端面と平行壁との隙間を低減させて、クリアランス損失を抑えることができる。【００１７】
さらに、熱変形時においてはノズルベーンの両端面は、熱変形による平行壁の壁面によって押されて、倒れ前の元の位置に戻される。この倒れ前の元の位置では、熱変形を考慮したクリアランスが確保されるように設定されているため、元の位置に戻された状態ではノズルベーの両端面と平行壁面との間には、スティックを生じて固着することなく、ノズルベーの回動が保持されるようになっている。【００１８】
このように、本願発明では、ノズルベーンの両端面と対向する平行壁の壁面との間の隙間を狭めて漏れ流れを防止して過給機効率を向上することができるとともに、熱変形時においてもノズルベーンが両端面に接触してスティックを生じることを回避することができ。【００１９】
また、本発明において好ましくは、前記ノズルベーンの前記ノズル軸方向の断面形状にて両端面が直線状に形成され、前記クリアランス減少促進部は、前記軸孔が前記平行壁の壁面に向かって内径側に傾斜して設けられるとよい。【００２０】
このように、クリアランス減少促進部は、軸孔が前記平行壁の壁面に向かって内径側に傾斜して設けられる構成によりなっているので、ノズルベーンの倒れ角を増大せしめることができる。【００２１】
具体的には、図３Ｂに示すように、軸孔の中心線に対して、ベーン軸の中心線を一致させてノズルベーンを設置した時には、軸孔の傾斜分だけ平行壁の壁面とのクリアランスはＣ１より小さくＣ２になっており、図３Ｂで初期クリアランスはＣ２になっている。排ガス圧力によって、軸孔とノズル軸との嵌合隙間によるガタ分の倒れがあると、ノズルベーンの他側端面を内径側にさらに倒すことによって、クリアランスは、Ｃ２より小さいＣ３にすることができ、クリアランス損失を抑えることができる。【００２２】
また、熱変形時には、平行壁面によって、ノズルベーンの倒れが押し戻されて、軸孔とノズル軸との嵌合隙間によるガタ分の戻りが生じて、ノズルベーンは平行壁面に直角位置に戻り、平行壁面とのクリアランスはスティックしない範囲に保持される。すなわち、スティッが生じない初期設定クリアランスにされているため、その位置に保持される。【００２３】
また、本発明において好ましくは、前記クリアランス減少促進部は、前記軸孔の前記ノズルベーン側の内径側および前記軸孔の前記ノズルベーンとは反対側の外径側の少なくとも何れか一方を面取りによって構成されるとよい。【００２４】
このように、面取りによって、ベーン倒れ角を増大するようにクリアランス減少促進部を構成するため、ノズル軸およびノズルベーン側には変形を加えることなく、軸孔の開口端部に面取りを加えるだけでよいため、変更対応の加工が容易である。また面取りは軸孔のノズルベーン側および軸孔のノズルベーンとは反対側の何れか一方でも、両方でもよく、面取りによる倒れ角度の設定に応じて形成することができる。【００２５】
また、本発明において好ましくは、前記ノズルベーンの前記ノズル軸方向の断面形状にて両端面が直線状に形成され、前記クリアランス減少促進部は、前記直線状の先端面に対する直角方向が、平行壁の壁面に直角方向に設けられる前記軸孔に嵌合する前記ノズル軸の中心線に対して、内径側に傾斜して形成されるとよい。【００２６】
このように、平行壁の壁面に直角方向に設けられる軸孔に嵌合するノズル軸の中心線に対して、ノズルベーンの直線状の先端面に直交する方向が、内径側に傾斜して設けられるので、ノズルベーンの倒れ角を増大せしめることができる。【００２７】
具体的には、図５Ａの実線または図５Ｂの点線で示すように、ノズルベーンは内径側に向かって倒れ角度はθ２傾斜している。この時のクリアランスはＤ１。この状態で排ガス圧力がノズルベーンに作用すると、ノズル軸は軸孔の反対側の内周面に当たる位置まで傾斜可能であるため、図５Ｂの実線で示すように、その反対側に当たるまで、ノズルベーンをタービンロータ側、すなわち内径側に大きく倒すことができる。これによって、クリアランスＤ２になりクリアランスをさらに小さくすることができ、クリアランス損失を抑えることができる。【００２８】
また、軸孔は平行壁面に対して傾斜させることがなく、平行壁面に対して直角方向の形状であるため軸孔の加工が容易である。【００２９】
また、熱変形時には、平行壁面によって、ノズルベーの倒れが押し戻されて、軸孔とノズル軸との嵌合隙間によるガタ分の戻りが生じて、図５Ｃに示すように、ノズルベーンは平行壁面に直角位置に戻り、平行壁面とのクリアランスはスティックしない範囲に保持される。すなわち、スティックが生じない初期設定クリアランスにされているため、その位置に保持される。【００３０】
本発明において好ましくは、前記ノズルベーンの前記ノズル軸方向の断面形状にて両端面が直線状に形成され、前記クリアランス減少促進部は、該両端面の前記ノズル軸側の端面を、外径側から内径側に向かって平行壁に向かうように傾斜して設けられ、ノズルベーンの排ガス投影面を増大するとよい。【００３１】
また、本発明において好ましくは、前記ノズルベーンの前記ノズル軸方向の断面形状にて両端面が直線状に形成され、前記クリアランス減少促進部は、該両端面の前記ノズル軸と反対側の先端面を、外径側から内径側に向かって平行壁から離れるように傾斜して設けられ、ノズルベーンの排ガス投影面を増大するとよい。【００３２】
また、本発明において好ましくは、前記ノズルベーンの前記ノズル軸方向の断面形状にて両端面が直線状に形成され、前記クリアランス減少促進部は、該両端面の前記ノズル軸側の端面は、外径側から内径側に向かって平行壁に向かうように傾斜して設けられ、且つ、前記ノズル軸と反対側の先端面は、外径側から内径側に向かって平行壁から離れるように傾斜して設けられ、ノズルベーンの排ガス投影面を増大するとよい。【００３３】
このように、前記クリアランス減少促進部は、両端面が直線状のノズルベーンのノズル軸側の端面を、外径側から内径側に向かって平行壁面に向かうように傾斜して設け、または、ノズル軸とは反対側の先端面を、外径側から内径側に向かって平行壁から離れるように傾斜して設け、または両端面を傾斜して設けるので、排ガス圧力を受けるノズルベーンの排ガス投影面を増大することができる。【００３４】
具体的には、図６Ａに示すように、軸孔の中心線に対して、ベーン軸の中心線を一致させてノズルベーンを設置した時には、ノズルベーンの先端面の傾斜分だけ平行壁面とのクリアランスは小さくなっており、図６Ａで初期クリアランスはＥ１になっている。排ガス圧力によって、軸孔とノズル軸との嵌合隙間によるガタ分の倒れがあると、ノズルベーンの他側端面を内径側に倒すことによって、クリアランスをさらに小さくＥ２とすることができ、クリアランス損失を抑えることができる。【００３５】
また、長方形状の対角線より長くすることで、排ガス圧力が作用する排ガス投影面を増大させることによって、ノズルベーンの倒れによる倒れ角度に対するクリアランスの減少量を大きく取れるため、クリアランス減少が効果的に得られる。【００３６】
軸孔は平行壁面に対して直角方向に形成るため、軸孔の加工は容易である。また、ベーン軸はノズルベーンの中心線と同一方向にノズルベーンの端面に固着するため、ノズルベーンの中心線に対して傾斜した状態でノズルベーンの端面に固着するので製造が容易となる。【００３７】
また、図６Ｃに示すように熱変形時には、前記ノズルベーンの前記両端面が平行壁面によって押されて、ノズルベーの倒れが押し戻され、軸孔とノズル軸との嵌合隙間によるガタ分の戻りが生じて、ノズルベーンは平行壁面に直角方向よりも前記外径側に傾斜する。これによって、平行壁面とのクリアランスはスティックしない範囲に保持される。すなわち、スティックが生じない初期設定クリアランスにされているため、その位置に保持される。【００３８】
また、本発明において好ましくは、前記クリアランス減少促進部によるノズルベーンの倒れ角の増大によって、ノズルベーンの内径側への倒れ角度が０．３〜５．０度の範囲に設定されるとよい。【００３９】
試験確認によると、内径側への倒れ込みによる倒れ角度は、０．３度以上で効果が得られ、０．５度以上でクリアランスを半減でき、さらに、１度以上でほぼ無くすことができた。従って、０．３〜１．０度の範囲が好ましいが、特に効果が確認できた０．５〜１．０度が好ましい。
なお、５．０度以上にすると、ノズルベーンが傾きすぎて、平行壁面とのスティックが生じやすくなるとともに、ガタの増大により摩耗が生じやすくなる。【００４０】
また、本発明において好ましくは、前記ノズルベーンの全閉時の排ガス圧力によって、前記ノズルベーンが内径側に倒されるとよい。
このように、ノズルベーンが全閉時の排ガス圧力によって、ノズルベーンをタービンロータの内径側に倒すことで、全閉時にノズルベーンの両側端部と平行壁との隙間からの漏れ流れを抑制して、全閉状態における流慮の絞り特性を改善してエンジンの加速性能を向上できる。
【発明の効果】
【００４１】
本発明によれば、可変容量型排気ターボ過給機の可変ノズル機構を構成するノズルベーンの端面と、該端面と対向する壁面との間の隙間を狭めて漏れ流れを防止してクリアランス損失を抑えて、過給機の効率を向上できるとともに、熱変形時においてもノズルベーンが両側端面に接触してスティックを生じることを回避することができる。
【図面の簡単な説明】
【００４２】
【図１】可変容量型排気ターボ過給機示す要部断面図である。
【図２】可変ノズルベーンの概要を示す斜視図である。
【図３Ａ】比較例を示す。
【図３Ｂ】第１実施形態の説明図であり、図２のＡ−Ａ断面説明図を示し、ガス圧力が作用したときを示す。
【図３Ｃ】第１実施形態における熱変形時を示す説明図である。
【図４Ａ】第２実施形態の説明図であり、ガス圧力が作用したときを示す。
【図４Ｂ】第２実施形態における熱変形時を示す説明図である。
【図５Ａ】第３実施形態の説明図であり、設置状態を示す。
【図５Ｂ】第３実施形態を示し、ガス圧力が作用したときを示す。
【図５Ｃ】第３実施形態における熱変形時を示す説明図である。
【図６Ａ】第４実施形態の説明図であり、設置状態を示す。
【図６Ｂ】第４実施形態を示し、ガス圧力が作用したときを示す。
【図６Ｃ】第４実施形態における熱変形時を示す説明図である。
【図７】従来技術の説明図である。
【発明を実施するための形態】
【００４３】
以下、本発明に係る実施形態について図面を用いて詳細に説明する。なお、以下の実施形態に記載されている構成部品の寸法、材質、形状、その相対配置などは特に特定的な記載がない限り、この発明の範囲をそれのみに限定する趣旨ではなく、単なる説明例にすぎない。  
【００４４】
図１を参照して、可変容量型排気ターボ過給機１の全体構成について説明する。
図１において、タービンケーシング２５内には渦巻状のスクロール２７が形成されるとともに内周側にはガス出口通路２９が形成され、また、図示しないコンプレッサが設けられたコンプレッサケーシングとタービンケーシング２５と軸受ハウジング３１が形成されている。
【００４５】
タービンロータ３３は、ロータシャフト３５の端部に固定されたハブ３７と、該ハブ３７の外周に円周方向等間隔に固着された複数枚の動翼３９からなっている。また、ロータシャフト３５のタービンロータ３３と反対側には図示しないコンプレッサが連結されている。
また、ロータシャフト３５の反対側には図示しないコンプレッサが連結されている。軸受ハウジング３１にはロータシャフト３５を支持する軸受４１が設けられている。ロータシャフト３５およびハブ３７は回転中心線４３を中心に回転するようになっている。
【００４６】
また、スクロール２７の内周側にはタービンロータ３３の円周方向に沿って等間隔に複数枚のノズルベーン４５が配設されている（図２参照）。ノズルベーン４５は、可変ノズル機構４７によりその翼角を変化せしめられるようになっている。
【００４７】
ノズルベーン４５は、長手方向は翼形の断面形状を有し、短手方向は一例として長方形状の断面形状をしており、長手方向の中央部には回動軸（ノズル軸）４９が取り付けられている。この回動軸４９の一端部はノズルベーン４５の一側端面５８に溶接によって取り付けられている。
また、回動軸４９の他端部はノズルマウント５１に形成された貫通孔（軸孔）５３を貫通して、該回動軸４９を回動するレバープレート５５に連結している。
【００４８】
ノズルベーン４５の他側端面（先端面）５７は、隙間を存して円環形状のリングプレート５９に対面する位置に配置されている。このリングプレート５９は支持ピン６２によって一定距離を保持するように前記ノズルマウント５１に連結されている。
【００４９】
ノズルマウント５１の壁面５１ａと、リングプレート５９の壁面５９ａとによって、ノズルベーン４５の両端面５７、５８を挟むようにして、平行壁を形成している。そして、この平行壁によってノズルベーン収納部６３を構成している。
【００５０】
かかるタービンロータ３３を備えた可変ノズル機構付き可変容量型排気ターボ過給機１の作動時において、エンジンからの排ガスは前記スクロール２７に入り、該スクロール２７内の渦巻きに沿って周回しながらノズルベーン４５に排ガス圧力を加えて流入する。
そして、該排ガスは、ノズルベーン４５の翼間を流通して、タービンロータ３３中心側に向かい半径方向に流れて該タービンロータ３３に膨張仕事をなした後、軸方向に流出してガス出口通路２９から機外に送出されるようになっている。
【００５１】
かかる可変容量型排気ターボ過給機１においては、エンジン加速時にノズルベーン４５を閉じて、流量を絞り流速を高めるようになっている。
【００５２】
なお、前記可変ノズル機構４７については、回動軸４９がノズルマウント５１に形成された貫通孔（軸孔）５３を貫通して支持される構成を示したが、一例であり、シュラウド側部材の貫通孔においてでもよい。要は平行壁によってノズルベーン収納部が構成され、そこに片持ち支持されたノズルベーンが回動自在に収納されている構成であればよい。
【００５３】
（第１実施形態）
図３を参照して、第１実施形態について説明する。
図３は、図２のＡ−Ａ断面図を模式的に示したものであり、図３Ａは比較例としての説明図である。
ノズルベーン４５の一側端面５８に回動軸（ノズル軸）４９が取り付けられている。ノズルベーン４５の中心線４５ａと、回動軸４９の中心線４９ａは一致しており、回動軸４９は貫通孔（軸孔）５３に、回動可能に嵌合隙間を存して嵌合している。
【００５４】
なお、ノズルベーン４５は、前述のように長手方向は翼形の断面形状を有し、短手方向は長方形状の断面形状しており、長手方向の中央部には回動軸（ノズル軸）４９が取り付けられ、この回動軸４９の一端部はノズルベーン４５の一側端面５８に取り付けられている。
短手方向の断面形状の長方形状は一例であり、端面が直線状に形成されていればよい。すなわち、排ガス流れの上流側と下流側との側面部分が曲線形状であっても端面が直線状に形成されていればよい。
【００５５】
図３Ａは比較例を示す説明図である。既に説明したので簡単に説明する。
点線は、排ガス圧力が作用する前の設置状態を示している。実線は排ガス圧力が作用したときに、回動軸８と貫通孔６との間の嵌合隙間の分だけ傾いた状態を示している。ノズルベーン１０の他側端面（先端面）の内径側へ倒れ角度θ１だけ傾斜を生じる。
そして、この傾くことで、ノズルベーン１０の他側端面（先端面）１２は壁面４に近づき、先端面１２とクリアランスＣ１を形成する。
【００５６】
ノズルベーン１０の倒れによって、他側端面の先側角部Ｐ１がＰ２に移動して（図３Ａ参照）、壁面４とのクリアランスはＣ０からＣ１へと小さくなる。本発明はこのノズルベーン１０の排ガス圧力によって、嵌合隙間による傾きを積極的に利用して、ノズルベーンの両側端面と平行壁２の壁面４との間からの漏れ量を減少させるものである。
【００５７】
図３Ｂは、第１実施形態を示す説明図である。ノズルベーン４５及び回動軸４９は前述のとおりである。貫通孔５３が平行壁の壁面５１ａに向かうに従ってタービンロータ３３側、すなわち内径側に傾斜して設けられている。
そして、平行壁の壁面５１ａに向かって内径側に傾斜して設けられる貫通孔５３によって、ノズルベーン４５の倒れ角度を増大せしめる。この貫通孔５３の傾斜によって、ノズルベーン４５の先端面５７の内径側への倒れ込みによって形成されるクリアランスの減少量をより減少せしめるクリアランス減少促進部６５を形成している。
【００５８】
図３Ｂは、貫通孔５３の中心線５３ａに対して、回動軸４９の中心線４９ａを一致させてノズルベーン４５を設置したときには、貫通孔５３の傾斜分だけ壁面５９ａとのクリアランスはＣ１より小さくなっており初期クリアランスＣ２となっている。この状態を図３Ｂの点線で示す。
【００５９】
この初期クリアランスＣ２は、図３Ａの比較例の排ガス圧力の作動後のクリアランスＣ１より小さくなっている。また、排ガス圧力によって、貫通孔５３と回動軸４９との嵌合隙間によるガタ分の倒れがあると、ノズルベーン４５の先端面５７を内径側にさらに倒すことによって、クリアランスはＣ３とすることができ、さらに小さくすることができる。これによって、クリアランスを小さくしてクリアランスから漏れる排ガス量を抑制することで過給機効率の低下を抑えることができる。なお、図３Ｂには、排ガス圧力で傾いた状態を実線で示す。
【００６０】
また、熱変形時には、すなわち、ノズルベーン４５は排ガスに直接晒される、また薄肉であるため、温度に対する熱変形が迅速に行われるが、平行壁面を形成するノズルベーン収納部６３は、ノズルベーン４５に比べて厚肉であり熱容量が大きいため、熱変形の応答性がノズルベーン４５に比べて遅い。そのため、ノズルベーン４５の両端面５７、５８、の熱変形と、平行壁面の壁面５１ａ、５９ａとの熱変形の変形時間差によって、壁面５１ａ、５９ａがノズルベーン４５の両端面５７、５８に近接する。この近接する状態を図３Ｃに示す。
【００６１】
図３Ｃに示すように、壁面５１ａ、５９ａの間隔が狭まることによって、ノズルベーン４５の倒れが押し戻されて、貫通孔５３と回動軸４９との嵌合隙間によるガタ分の戻りが生じて、ノズルベーン４５は壁面５１ａ、５９ａに直角位置に戻り、壁面５１ａ、５９ａとのクリアランスはスティックしない範囲に保持される。すなわち、熱変形が生じてもスティックが生じない初期クリアランスＣ０に設定されているため、熱変形があってもスティックしない位置に保持される。
すなわち、スティックが生じない初期クリアランスＣ０の範囲内でクリアランスを狭めるようにクリアランス減少促進部６５が作用するようになっている。
【００６２】
以上のように、第１実施形態によると、可変容量型排気ターボ過給機１の可変ノズル機構４７を構成するノズルベーン４５の両端面５７、５８と、該量端面と対向する壁面５１ａ、５９ａとの間の隙間を狭めて漏れ流れを防止して、クリアランス損失を低減することができ、過給機効率を向上することができる。特に、エンジン加速時におけるノズルベーン４５の全閉時において、クリアランス損失を低減することができるため加速性を向上できる。
また、熱変形時においてもノズルベーン４５の両端面５７、５８が、壁面５１ａ、５９ａに接触してスティックを生じることを回避することができる。
【００６３】
（第２実施形態）
図４を参照して、第２実施形態について説明する。
第２実施形態は、ノズルベーン４５の倒れ角度を増大せしめて、クリアランスの減少量をより減少せしめるクリアランス減少促進部６０を、面取り構造によって達成するものである。ノズルベーン４５および回動軸４９は第１実施形態で説明したものと同様である。
【００６４】
図４Ａのように、貫通孔６１は壁面５１ａに直角に形成されており、貫通孔６１には、ノズルベーン側の内径側に内径側面取り６１ａが形成されている。また、ノズルベーンとは反対側の外径側に外径側面取り６１ｂが形成されている。
この内径側面取り６１ａ、外径側面取り６１ｂの少なくとも何れか一方を設けても、両方設けてもよい。
【００６５】
内径側面取り６１ａおよび外径側面取り６１ｂによって、回動軸４９およびノズルベーン４５の形状には変形を加えることなく、貫通孔６１の開口端部に面取りを加えるだけでよいため、変更への対応加工が容易である。また面取りが貫通孔６１のノズルベーン側およびノズルベーンとは反対側の何れか一方でも、両方でもよく、面取りによる倒れ角度の設定に応じて容易に形成することができる。
【００６６】
また、面取り形状は、貫通孔６１の軸方向長さ、周方向範囲については、面取りを形成することで、ノズルベーン４５の倒れ角度θが、０．３〜５．０度の範囲になることが好ましく、特に０．５〜５．０度が好ましい。倒れ角度は、壁面に対して直角からの傾斜角度をいう。
【００６７】
図４Ｂは、熱変形時の状態を示し、第１実施形態の図３Ｃと同様に、平行な壁面５１ａ、５９ａによってノズルベーン４５の倒れが押し戻されて、貫通孔６１と回動軸４９との嵌合隙間によるガタ分の戻りが生じて、ノズルベーン４５は壁面５１ａ、５９ａに直角位置に戻り、平行壁面とのクリアランスはスティックしない範囲に保持される。すなわち、熱変形が生じてもスティックが生じない初期クリアランスＣ０に設定されているため、熱変形があってもスティックしない位置に保持される。
【００６８】
（第３実施形態）
図５を参照して、第３実施形態について説明する。
第３実施形態は、ノズルベーン４５の倒れ角度を増大せしめて、クリアランスの減少量をより減少せしめるクリアランス減少促進部７０を、回動軸７２の中心線７２ａとノズルベーン４５の中心線４５ａとを傾斜させる構造によって達成するものである。ノズルベーン４５の形状は第１実施形態で説明したものと同様である。
【００６９】
平行壁の壁面５１ａに直角方向に設けられる貫通孔７４に嵌合した回動軸７２の中心線７２ａに対して、ノズルベーン４５の長方形断面の長手方向の中心線４５ａが、内径側に傾斜して形成されている。すなわち、長方形断面の両端面のうち先端面５７に対して直角方向が回動軸７２の中心線７２ａに対して内径側に傾斜して形成されている。
回動軸７２の中心線７２ａと、壁面５１ａに直角方向の貫通孔７４の中心線７４ａと、ノズルベーン４５の長方形断面の長手方向の中心線４５ａ'を一致させて設置した場合には、図５Ａの点線で示すような、図３Ａで示した比較例と同様の形状となる。
第３実施形態は、ノズルベーン４５の長方形断面の長手方向の中心線４５ａが、内径側に傾斜して形成されているため、ノズルベーン４５は内径側に向かって倒れ角度θ２だけ傾斜している。
【００７０】
この倒れ角度θ２だけ傾斜している状態では、平行な壁面５９ａとノズルベーン４５の先端面５７とのクリアランスはＤ１であり、これを初期クリアランスとする。
この状態で排ガス圧力がノズルベーンに作用すると、回動軸７２は貫通孔７４との嵌合隙間によるガタ分だけ傾斜可能であるため、図５Ｂの実線で示すように倒れる。これによって、ノズルベーン４５を内径側に大きく倒すことができる。
この排ガス圧力による倒れによって、クリアランスはＤ２になりクリアランスをＤ１より小さくすることができ、クリアランス損失を抑えることができる。
【００７１】
図５Ｃは、熱変形時の状態を示し、第１実施形態の図３Ｃと同様に、平行な壁面５１ａ、５９ａによって、ノズルベーン４５の倒れが押し戻されて、貫通孔７４と回動軸７２との嵌合隙間によるガタ分の戻りが生じて、図５Ｃに示すように、ノズルベーン４５は平行な壁面５１ａ、５９ａに対して、外径側に傾斜した状態に戻される。
平行な壁面５１ａ、５９ａとのクリアランスはスティックしない範囲に保持される。すなわち、熱変形が生じてもスティックが生じない初期クリアランスＤ０に設定されているため、熱変形があってもＤ０分変形しても、スティックしない位置に保持される。
【００７２】
本第３実施形態によれば、クリアランスＤ２になりクリアランスをさらに小さくすることができ、クリアランス損失を抑えることができ過給機効率を向上することができる。
また、貫通孔７４は平行な壁面５１ａに対して傾斜させることがなく、壁面５１ａに対して直角方向の形状であるため貫通孔の加工が容易である。
さらに、熱変形時においてもノズルベーン４５の両側端面が、平行な壁面５１ａ、５９ａに接触してスティックを生じることを回避することができる。
【００７３】
（第４実施形態）
図６を参照して、第４実施形態について説明する。
第４実施形態は、ノズルベーン８０の排ガス投影面を増大してクリアランスの減少量をより減少せしめるクリアランス減少促進部８２を構成するものであり、ノズルベーン８０の倒れ角度を増大せしめるものではなく、排ガス投影面を増大させることで、ノズルベーン８０の先端面８５と壁面５９ａとのクリアランスを減少させるものである。
【００７４】
ノズルベーン８０の回動軸８７側の端面を傾斜させる場合と、回動軸８７とは反対側の先端側の端面を傾斜させる場合と、両方の端面を傾斜させる場合とがある。
図６は両方の端面を傾斜させた場合を示している。
【００７５】
図６Ａは設置状態を示しており、略長方形状（例えば平行四辺形、若しくは平行四辺形に近似した四角形）のノズルベーン８０の回動軸８７側の端面９１を、外径側から内径側に向かって壁面５１ａに向かうように傾斜している。さらに、回動軸８７とは反対側の端面９３は、外径側から内径側に向かって壁面５９ａから離れる向きに傾斜している。両端面の傾斜は平行がよいが、傾斜方向が同じであれば平行でなくてもよい。
図６Ａに示すように、貫通孔８９の中心線８９ａに対して、回動軸８７の中心線８７ａを一致させてノズルベーン８０を設置したときには、ノズルベーン８０の端面９３の傾斜分だけ壁面５９ａとのクリアランスは、Ｅ１となっており比較例としてのクリアランスＥ０より小さくなっている。
図６Ｂに示すように、この初期クリアランスＥ１になっている状態で排ガス圧力によって、貫通孔８９と回動軸８７との嵌合隙間によるガタ分の倒れがあると、ノズルベーン８０の先端側の端面９３を内径側に倒すことによって、クリアランスをＥ２としてさらに小さくすることができ、クリアランス損失を抑えることができる。
【００７６】
図６Ｂの略長方形の対角線８１を第１〜第３実施形態の長方形状の対角線より長くすることで、排ガス圧力が作用する排ガス投影面を増大させることができ、これによって、貫通孔８９と回動軸８７との嵌合隙間は図３（Ａ）に示す比較例と同様であっても、排ガス圧力を受けた際のクリアランスの減少量をより大きく減少させることができる。
【００７７】
貫通孔８９は壁面５１ａに対して直角方向に形成るため、貫通孔８９の加工が容易である。また、回動軸８７の中心線８７ａはノズルベーン８０の中心線８０ａと一致してノズルベーン８０の端面９１に固着するため、ノズルベーン８０の中心線８０ａに対して傾斜した状態でノズルベーンの端面に固着するより、製造が容易となる。
【００７８】
また、図６Ｃに示すように熱変形時には、平行な壁面５１ａ、５９ａによって、ノズルベーン８０の倒れが押し戻されて、貫通孔８９と回動軸８７との嵌合隙間によるガタ分の戻りが生じて、ノズルベーン８０は平行な壁面５１ａに直角方向よりも外径側に傾斜することで、壁面５９ａとのクリアランスはスティックしない範囲に保持される。すなわち、スティックが生じない初期設定クリアランスＥ０に設定されているため、その位置に保持される。
【００７９】
本第４実施形態によれば、ノズルベーン８０の端面を傾斜端面とすることによって、ノズルベーン８０と壁面５９ａとのクリアランスを小さくすることができ、クリアランス損失を抑えることができ過給機効率を向上することができる。
また、貫通孔８９は壁面５１ａに対して直角方向に形成るため、貫通孔８９の加工が容易である。また、回動軸８７の中心線８７ａはノズルベーン８０の中心線８０ａと同一方向にノズルベーン８０の端面９１に固着するため、ノズルベーン８０の中心線８０ａに対して傾斜した状態で固着するより、製造が容易となる。
【００８０】
各実施形態を単独でも、適宜組み合わせて倒れ角増大部を構成してもよい。また、第１実施形態から第３実施形態において、倒れ角度増大によってノズルベーン４５の排ガス圧力による内径側への倒れ角度は、０．３〜５．０度の範囲に設定されるとよく、特に、０．５〜５．０度の範囲に設定されることが望ましい。
すなわち、試験確認によると、内径側への倒れ角度は、０．３度以上で効果が得られ、０．５度以上でクリアランスを半減でき、さらに、１．０度以上でほぼ無くすことができた。従って、０．３〜１．０度の範囲が好ましいが、特に効果が確認できた０．５〜１．０度が好ましい。
なお、５．０度以上にすると、ノズルベーンが傾きすぎて、平行壁面とのスティックが生じやすくなるとともに、ガタの増大により摩耗が生じやすくなる。
【産業上の利用可能性】
【００８１】
本発明によれば、可変ノズル機構を構成するノズルベーンの両端面と、該端面と対向する壁面との間の隙間を狭めて漏れ流れを防止してクリアランス損失を抑えるとともに、熱変形時においてもノズルベーンが両側端面に接触してスティックを生じることを回避することができるので、可変ノズル機構を備えた可変容量型排気ターボ過給機への適用技術として有用である。
【符号の説明】
【００８２】
１  可変容量型排気ターボ過給機
２５  タービンハウジング
２７  スクロール
４５、８０  ノズルベーン
３３  タービンロータ
５１  ノズルマウント
５１ａ、５９ａ  平行壁の壁面
５９  リングプレート
６３  ノズルベーン収納部
４９、７２、８７  ノズル軸（回動軸）
５３、６１、７４、８９  軸孔（貫通孔）
５７  先端面
５８、９１、９３  ノズルベーンの端面
６０、６５、７０、８２  クリアランス減少促進部
６１ａ  内径側面取り
６１ｂ  外径側面取り
８１  対角線（排ガス投影面）
【図１】
0005936710.tif 000002
【図２】
0005936710.tif 000003
【図３Ａ】
0005936710.tif 000004
【図３Ｂ】
0005936710.tif 000005
【図３Ｃ】
0005936710.tif 000006
【図４Ａ】
0005936710.tif 000007
【図４Ｂ】
0005936710.tif 000008
【図５Ａ】
0005936710.tif 000009
【図５Ｂ】
0005936710.tif 000010
【図５Ｃ】
0005936710.tif 000011
【図６Ａ】
0005936710.tif 000012
【図６Ｂ】
0005936710.tif 000013
【図６Ｃ】
0005936710.tif 000014
【図７】
0005936710.tif 000015